(57)【要約】      （修正有）【課題】ディスプレイ装置と壁面間の空間活用性を極大化できるように改善し、簡単にディスプレイ装置を水平にできるように改善する。【解決手段】ディスプレイ装置用支持装置は、ディスプレイ装置の後面に結合される複数の支持突起と、壁面に固定される複数の第１支持パネルと、前記第１支持パネルに回転可能に結合され、前記複数の支持突起が収容される収容部を備える複数の第２支持パネルと、を含み、前記一つ以上の第１支持パネルは、その上部から突出形成され、一側が開放された軸孔を形成する軸結合部を含み、前記一つ以上の第２支持パネルのうち少なくとも一つは、その内側から突出し、前記軸孔に挿入される第１回転軸と、前記軸結合部の外面を取り囲む形状に設けられ、前記軸結合部が挿入されることができるように前記第１回転軸との間に挿入孔を形成する第２回転軸と、を含む。【選択図】図２
2013141197.tif 000002
【特許請求の範囲】
【請求項１】
ディスプレイ装置を壁面に支持するためのディスプレイ装置用支持装置において、
前記ディスプレイ装置の後面に結合される複数の支持突起と、
壁面に固定される複数の第１支持パネルと、
前記第１支持パネルに回転可能に結合され、前記複数の支持突起が掛けられる収容部を備える複数の第２支持パネルと、を含むことを特徴とする、ディスプレイ装置用支持装置。
【請求項２】
前記第１支持パネルは、その上部から突出形成され、一側が開放された軸孔を形成する軸結合部を含み、
前記第２支持パネルは、その内側から突出し、前記軸孔に挿入される第１回転軸と、前記軸結合部の外面を取り囲む形状に設けられ、前記軸結合部が挿入されることができるように前記第１回転軸との間に挿入孔を形成する第２回転軸と、を含むことを特徴とする、請求項１に記載のディスプレイ装置用支持装置。
【請求項３】
前記軸結合部と連結される前記第１支持パネルの上部には、前記第２支持パネルが回転する時に、前記第２回転軸の一端と接触して前記第２支持パネルの回転角を制限する第１回転制限部が設けられることを特徴とする、請求項２に記載のディスプレイ装置用支持装置。
【請求項４】
前記第１回転軸と前記第２支持パネルの内側を連結し、前記第２支持パネルが回転する時に、前記軸結合部の一端と接触して前記第２支持パネルの回転角を制限する第２回転制限部を含むことを特徴とする、請求項３に記載のディスプレイ装置用支持装置。
【請求項５】
前記支持突起は、前記ディスプレイ装置の後面と接する第１直径部と、前記第２支持パネルの内面によって支持される第２直径部と、前記第１直径部及び前記第２直径部を連結し、前記第１直径部及び前記第２直径部よりも相対的に小さい直径を有する第３直径部と、を含むことを特徴とする、請求項１に記載のディスプレイ装置用支持装置。
【請求項６】
前記収容部は、
前記第２直径部が前記第２支持パネルの内側に挿入されることができるように、前記第２直径部よりも大きい直径を有する支持突起挿入孔と、
前記支持突起挿入孔と連通し、前記第２直径部が前記第２支持パネルの内側に挿入された状態で、前記支持突起及び前記ディスプレイ装置が第１方向に移動できるように案内する第１ガイドスロットと、
前記第１ガイドスロットと連通し、前記第３直径部が着座する着座溝と、を含むことを特徴とする、請求項５に記載のディスプレイ装置用支持装置。
【請求項７】
前記第１ガイドスロットの幅は、前記第２直径部よりも小さく、前記第３直径部の直径よりも大きいことを特徴とする、請求項６に記載のディスプレイ装置用支持装置。
【請求項８】
前記収容部は、前記第１ガイドスロットと連通、交差し、前記ディスプレイ装置が前記第１方向と異なる第２方向に移動できるように案内する第２ガイドスロットを含むことを特徴とする、請求項６に記載のディスプレイ装置用支持装置。
【請求項９】
前記第１支持パネルは、前記第１支持パネルを壁面に固定させるために、前記支持突起挿入孔及び前記第１ガイドスロットと対応する位置に形成される複数のスクリューホールを含むことを特徴とする、請求項６に記載のディスプレイ装置用支持装置。
【請求項１０】
前記第１支持パネル及び前記第２支持パネルのうち少なくとも一つには、前記収容部に収容された前記支持突起が前記収容部から離脱することを防止するための少なくとも一つの離脱防止部材が結合されることを特徴とする、請求項６に記載のディスプレイ装置用支持装置。
【請求項１１】
前記離脱防止部材は、前記第２直径部が前記支持突起挿入孔に挿入される時に、前記第２直径部により加圧されて、前記支持突起が前記第１ガイドスロットにより前記第１方向に移動できるように空間を形成し、前記支持突起が前記着座溝に着座して、前記第２直径部による加圧が解除されると元の位置に復帰することを特徴とする、請求項１０に記載のディスプレイ装置用支持装置。
【請求項１２】
前記離脱防止部材は、板バネを含むことを特徴とする、請求項１１に記載のディスプレイ装置用支持装置。
【請求項１３】
前記複数の支持突起のうち少なくとも一つは、前記ディスプレイ装置の回転状態を維持させるための少なくとも一つの支持フレームを含み、
前記支持フレームは、前記支持突起に前記ディスプレイ装置から前記壁面に向かって回転可能に結合されることを特徴とする、請求項１２に記載のディスプレイ装置用支持装置。
【請求項１４】
前記支持突起は、前記支持フレームの回転角を制限する回転制限部を含むことを特徴とする、請求項１３に記載のディスプレイ装置用支持装置。
【請求項１５】
前記支持装置は、前記第１支持パネルと前記第２支持パネルとが互いに結合された状態で軸方向に分離されることを防止するために、前記第１支持パネルと前記第２支持パネルのうち一つの側面に結合されるカバーを含むことを特徴とする、請求項１に記載のディスプレイ装置用支持装置。
【発明の詳細な説明】
【技術分野】
【０００１】
実施例は、ディスプレイ装置を壁面に支持、固定させるためのディスプレイ用支持装置に関する。
【背景技術】
【０００２】
室内空間をより効率的に活用するために、液晶ディスプレイ（ＬＣＤ）やプラズマディスプレイ（ＰＤＰ）のような平板型ディスプレイ装置を壁面に掛けて支持、固定させるための支持装置が多く使われている。
【０００３】
既存の支持装置は、単純にディスプレイ装置を壁面に固定させて動かないようにする機能を備えたり、ディスプレイ装置の左、右の移動が可能なようにするスイベル（ｓｗｉｖｅｌ）機能またはディスプレイ装置の上、下移動が可能なようにチルト（ｔｉｌｔ）機能を備える。
【０００４】
しかし、これらの支持装置は、ディスプレイ装置と壁面間の空間が狭小な場合、ディスプレイ装置に電源を供給したり、ディスプレイ装置を制御するための信号を供給するなどの各種ケーブルを、ディスプレイ装置の後面に連結するのが困難であるという問題があり、このようなケーブル連結問題の解決のために、ディスプレイ装置と壁面間の空間を広げる場合、室内空間の効率的な活用性面において不利になる。
【０００５】
また、既存の支持装置の場合、ディスプレイ装置を壁面に支持、固定させた状態で水平にするためには、ディスプレイ装置を支持装置から分離して再結合したり、ディスプレイ装置を支持装置から分離しない場合でも、支持装置などを固定するためのネジなどの固定部材を分離したりしてディスプレイ装置を水平にした後、再びネジを締結しなければならないため、これは取り付け性面において問題になる。
【発明の概要】
【発明が解決しようとする課題】
【０００６】
実施例の一側面は、ディスプレイ装置と壁面間の空間活用性を極大化できるように改善された構造を有するディスプレイ装置用支持装置を提供する。
【０００７】
また、実施例の他の側面は、ディスプレイ装置を支持装置に固定させた状態で、簡単にディスプレイ装置を水平にできるように改善された構造を有するディスプレイ装置用支持装置を提供する。
【課題を解決するための手段】
【０００８】
実施例の一側面によるディスプレイ装置用支持装置は、ディスプレイ装置を壁面に支持するためのディスプレイ装置用支持装置において、前記ディスプレイ装置の後面に結合される一つ以上の支持突起と、壁面に固定される一つ以上の第１支持パネルと、前記一つ以上の第１支持パネルにそれぞれ回転可能に結合され、少なくとも一つが、前記一つ以上の支持突起のうち一つが収容される収容部を有する一つ以上の第２支持パネルと、を含むことを特徴とする。
【０００９】
前記一つ以上の第１支持パネルのそれぞれは、その上部から突出形成され、一側が開放された軸孔を形成する軸結合部を含み、前記一つ以上の第２支持パネルのうち少なくとも一つは、その内側から突出し、前記軸孔に挿入される第１回転軸と、前記軸結合部の外面を取り囲む形状に設けられ、前記軸結合部が挿入されることができるように前記第１回転軸との間に挿入孔を形成する第２回転軸と、を含むことができる。
【００１０】
前記軸結合部と連結される前記一つ以上の第１支持パネルのうち少なくとも一つの上部には、前記一つ以上の第２支持パネルのうち少なくとも一つが回転する時に、前記第２回転軸の一端と接触して前記一つ以上の第２支持パネルのうち少なくとも一つの回転角を制限する第１回転制限部が設けられることができる。
【００１１】
前記第１回転軸と前記一つ以上の第２支持パネルのうち少なくとも一つの内側とを連結し、前記一つ以上の第２支持パネルのうち少なくとも一つが回転する時に、前記軸結合部の一端と接触して前記一つ以上の第２支持パネルうち少なくとも一つの回転角を制限する第２回転制限部を含むことができる。
【００１２】
前記一つ以上の支持突起のそれぞれは、前記ディスプレイ装置の後面と接する第１直径部と、前記一つ以上の第２支持パネルうち少なくとも一つの内面によって支持される第２直径部と、前記第１直径部及び前記第２直径部を連結し、前記第１直径部及び前記第２直径部よりも相対的に小さい直径を有する第３直径部と、を含むことができる。
【００１３】
前記収容部は、前記第２直径部が前記一つ以上の第２支持パネルうち一つの内側に挿入されることができるように、前記第２直径部よりも大きい直径を有する支持突起挿入孔と、前記支持突起挿入孔と連通し、前記第２直径部が前記一つ以上の第２支持パネルのうち一つの内側に挿入された状態で、前記一つ以上の支持突起のうち一つ及び前記ディスプレイ装置が第１方向に移動できるように案内する第１ガイドスロットと、前記第１ガイドスロットと連通し、前記第３直径部が着座する着座溝と、を含むことができる。
【００１４】
前記第１ガイドスロットの幅は、前記第２直径部よりも小さく、前記第３直径部の直径よりも大きくすることができる。
【００１５】
前記収容部は、前記第１ガイドスロットと連通、交差し、前記ディスプレイ装置が前記第１方向と異なる第２方向に移動できるように案内する第２ガイドスロットを含むことができる。
【００１６】
前記一つ以上の第１支持パネルのうち少なくとも一つは、前記一つ以上の第１支持パネルのうち少なくとも一つを壁面に固定させるために、前記支持突起挿入孔及び前記第１ガイドスロットと対応する位置に形成される複数のスクリューホールを含むことができる。
【００１７】
前記一つ以上の第１支持パネル及び一つ以上の前記第２支持パネルのうち少なくとも一つには、前記収容部に収容された前記一つ以上の支持突起が前記収容部から離脱することを防止するための少なくとも一つの離脱防止部材が結合されることができる。
【００１８】
前記少なくとも一つの離脱防止部材は、前記第２直径部が前記支持突起挿入孔に挿入される時に、前記第２直径部により加圧されて、前記一つ以上の支持突起のうち一つが前記第１ガイドスロットにより前記第１方向に移動できるように空間を形成し、前記一つ以上の支持突起のうち一つが前記着座溝に着座して、前記第２直径部による加圧が解除されると元の位置に復帰できる。
【００１９】
前記少なくとも一つの離脱防止部材は、板バネを含むことができる。
【００２０】
前記一つ以上の支持突起のうち少なくとも一つは、前記ディスプレイ装置の回転状態を維持させるための少なくとも一つの支持フレームを含み、前記支持フレームは、前記一つ以上の支持突起のうち一つに前記ディスプレイ装置から前記壁面に向かって回転可能に結合されることができる。
【００２１】
前記一つ以上の支持突起のうち一つは、前記支持フレームの回転角を制限する回転制限部を含むことができる。
【００２２】
前記支持装置は、前記一つ以上の第１支持パネルと前記一つ以上の第２支持パネルとが互いに結合された状態で軸方向に分離されることを防止するために、前記一つ以上の第１支持パネルと前記一つ以上の第２支持パネルのうち一つの側面に結合されるカバーを含むことができる。
【００２３】
前記一つ以上の第１支持パネルと前記一つ以上の第２支持パネルのうち一つは、前記カバーをその側面に締結させるための少なくとも一つのカバー締結部を含み、前記カバー締結部は、前記一つ以上の第１支持パネルと前記一つ以上の第２支持パネルのうち一つの内側から突出する締結リブと、前記締結リブの一側に開放形成される締結孔と、を含むことができる。
【００２４】
前記ディスプレイ装置と壁面との間の間隔を調節するための間隔調節部材をさらに含み、前記間隔調節部材は、前記一つ以上の第１支持パネルのうち少なくとも一つの後面に結合される第１間隔調節部材と、前記一つ以上の支持突起のうち少なくとも一つの前面に結合される第２間隔調節部材と、を含むことができる。
【００２５】
前記第１間隔調節部材は、前記一つ以上の第１支持パネルのうち少なくとも一つが固定されるパネル固定部と、前記パネル固定部の両端から折れ曲がり、壁面に固定される壁面固定部と、を含むことができる。
【００２６】
また、実施例の他の側面によるディスプレイ装置用支持装置は、ディスプレイ装置を壁面に支持するためのディスプレイ装置用支持装置において、前記ディスプレイ装置の後面に結合される一つ以上の支持突起と、壁面に固定される一つ以上の第１支持パネルと、前記第１パネルに回転可能に結合される一つ以上の第２支持パネルと、を含み、前記一つ以上の第２支持パネルのうち少なくとも一つは、前記一つ以上の支持突起のうち一つが挿入される支持突起挿入孔と、前記支持突起が着座する着座溝と、前記支持突起挿入孔及び前記着座溝で示され、前記ディスプレイ装置の設置位置を調節するための位置調節スロットと、を含むことを特徴とする。
【００２７】
前記位置調節スロットは、前記ディスプレイ装置を第１方向に移動案内する第１ガイドスロットと、前記第１ガイドスロットと交差し、前記ディスプレイ装置を前記第１方向と異なる第２方向に移動案内する第２ガイドスロットと、を含むことができる。
【００２８】
前記第１ガイドスロットは、鉛直方向に形成され、前記第２ガイドスロットは、第１ガイドスロットに対して傾斜するように形成されることができる。
【００２９】
前記一つ以上の第２支持パネルにそれぞれ形成される前記複数の第２ガイドスロットのうち一方は、他方と互いに反対方向に傾斜するように形成されることができる。
【発明の効果】
【００３０】
実施例によれば、ディスプレイ装置の後面と壁面間の空間が狭小な場合にも、各種配線作業などを便利に行うことができる。
【００３１】
また、支持装置を用いてディスプレイ装置を支持、固定させた状態で、ディスプレイ装置の位置調節を便利で且つ精密に行うことができる。
【図面の簡単な説明】
【００３２】
【図１】一実施例に係るディスプレイ装置用支持装置の斜視図である。
【図２】一実施例に係るディスプレイ装置用支持装置の正面図である。
【図３】一実施例に係るディスプレイ装置用支持装置の分離斜視図である。
【図４Ａ】一実施例に係るディスプレイ装置用支持装置を用いてディスプレイ装置を壁面に支持、固定させる過程を示す図である。
【図４Ｂ】一実施例に係るディスプレイ装置用支持装置を用いてディスプレイ装置を壁面に支持、固定させる過程を示す図である。
【図５】一実施例に係るディスプレイ装置用支持装置を用いてディスプレイ装置を回転させた状態で壁面に支持、固定させた状態を示す図である。
【図６】図５の側断面図である。
【図７Ａ】一実施例に係るディスプレイ装置用支持装置を用いてディスプレイ装置の水平を調節する様子を示す図である。
【図７Ｂ】一実施例に係るディスプレイ装置用支持装置を用いてディスプレイ装置の水平を調節する様子を示す図である。
【図８】間隔調節部材の分離斜視図である。
【発明を実施するための形態】
【００３３】
以下では、添付の図面を参照して、実施例について詳細に説明する。
【００３４】
図１は、一実施例に係るディスプレイ装置用支持装置の斜視図で、図２は、一実施例に係るディスプレイ装置用支持装置の正面図で、図３は、一実施例に係るディスプレイ装置用支持装置の分離斜視図で、図４Ａ及び図４Ｂは、一実施例に係るディスプレイ装置用支持装置を用いてディスプレイ装置を壁面に支持、固定させる過程を示す図である。
【００３５】
図１乃至図４Ｂに示すように、ディスプレイ装置用支持装置１００は、壁面Ｗに固定される複数の第１支持パネル１１０と、第１パネルに回転可能に結合される複数の第２支持パネル１２０と、第１支持パネル１１０及び第２支持パネル１２０の側面を覆うカバー１３０と、ディスプレイ装置１０の後面に結合される複数の支持突起１４０，１５０と、第１支持パネル１１０または第２支持パネル１２０のうちいずれか一つの内面に結合される離脱防止部材１６０と、を含んで構成される。
【００３６】
複数の第１支持パネル１１０は、ディスプレイ装置１０の幅方向に少なくとも２つ以上が配置されることができ、パネルボディー１１２と、第１支持パネル１１０を壁面Ｗに固定させるための少なくとも一つの第１スクリューホール１１４と、パネルボディー１１２の上部に設けられる軸結合部１１６と、パネルボディー１１２の内側に設けられるカバー締結部１１８と、を含む。
【００３７】
第１スクリューホール１１４は、パネルボディー１１２の上、下方向にそれぞれ配置されることができ、第１支持パネル１１０をネジなどで壁面Ｗに固定させるために、パネルボディー１１２を貫通して形成される。
【００３８】
軸結合部１１６は、円筒形状で、パネルボディー１１２の上部から突出し、パネルボディー１１２の幅方向に長く形成される。軸結合部１１６には、その中心部を貫通し、一側が開放された軸孔１１６ａが形成される。軸孔１１６ａには、第２支持パネル１２０の第１回転軸１２４が挿入される。
【００３９】
軸結合部１１６が突出するパネルボディー１１２の上部には、軸結合部１１６と隣接する第１回転制限部１１９が設けられる。第１回転制限部１１９は、第２支持パネル１２０の第２回転軸１２６の一端１２６ａと接触し、第２支持パネル１２０の回転角を制限することによって、ディスプレイ装置１０を回転させる過程でディスプレイ装置１０の上部が壁面Ｗと衝突して損傷することを未然に防止する。
【００４０】
カバー締結部１１８は、パネルボディー１１２の内側から突出する締結リブ１１８ａと、締結リブ１１８ａの中心部を貫通し、その一側が開放された締結孔１１８ｂと、を含む。
【００４１】
第２支持パネル１２０は、パネルボディー１２２と、パネルボディー１２２の内側から突出する第１回転軸１２４と、軸結合部１１６の外面を取り囲む円筒形状に設けられる第２回転軸１２６と、第１スクリューホール１１４と対応する位置に形成される第１貫通孔１２７と、支持突起が挿入され、移動して着座することができるように、パネルボディー１２２を貫通して形成される収容部１２８と、を含む。
【００４２】
第１回転軸１２４は、軸孔１１６ａに挿入されることができるようにパネルボディー１２２の幅方向に長く形成される。
【００４３】
第１回転軸１２４と、第１回転軸１２４が突出する第２支持パネル１２０の内側との間には、第１回転軸１２４と第２支持パネル１２０の内側とを連結する第２回転制限部１２９が設けられる。第２回転制限部１２９は、軸結合部１１６の一端１１６ｂと接触し、第２支持パネル１２０の回転角を制限することによって、第１回転制限部１１９と共にディスプレイ装置１０を回転させる過程で、ディスプレイ装置１０の上部が壁面Ｗと衝突して損傷することを未然に防止する。
【００４４】
第２回転軸１２６は、パネルボディー１２２の幅方向に長く形成され、軸結合部１１６が挿入されることができるように第１回転軸１２４との間に挿入孔１２５を形成する。
【００４５】
第１貫通孔１２７は、第１スクリューホール１１４と対応する位置でパネルボディー１２２を貫通して形成される。第１支持パネル１１０と第２支持パネル１２０とが結合された状態で、作業者は、第１貫通孔１２７を通じてネジなどを第１スクリューホール１１４と締結させることによって、第１支持パネル１１０を壁面Ｗに容易に固定させることができる。
【００４６】
収容部１２８は、第１支持突起１４０の第２直径部１４４が第２支持パネル１２０の内側に挿入されることができるように、第２直径部１４４よりも大きい直径を有する支持突起挿入孔１２８ａと、第１支持突起が着座する着座溝１２８ｂと、支持突起挿入孔１２８ａ及び着座溝１２８ｂと連通し、支持装置１００を用いてディスプレイ装置１０を壁面Ｗに支持させた状態で、ディスプレイ装置１０の設置位置を調節するための位置調節スロット１２８ｃ，１２８ｄと、を含んで構成される。
【００４７】
着座溝１２８ｂは、第１支持突起１４０の第３直径部１４６と接触して、第１支持突起及び第１支持突起と結合されたディスプレイ装置１０が一定の位置に支持、固定されることができるようにする。
【００４８】
位置調節スロット１２８ｃ，１２８ｄは、第２直径部１４４が支持突起挿入孔１２８ａを通じて第２支持パネル１２０の内側に挿入された状態で、第１支持突起１４０及び第１支持突起１４０と結合されたディスプレイ装置１０が上下方向に移動できるように案内する第１ガイドスロット１２８ｃと、第１ガイドスロット１２８ｃと交差、連通し、第１ガイドスロット１２８ｃに対して傾斜するように形成されて、第１支持突起１４０及び第１支持突起１４０と結合されたディスプレイ装置１０を左右方向に移動できるように案内する第２ガイドスロット１２８ｄと、で構成される。
【００４９】
第１ガイドスロット１２８ｃ及び第２ガイドスロット１２８ｄの幅ｄ１，ｄ２は、第２直径部１４４が第２支持パネル１２０の内側に挿入された状態で、第２直径部１４４の一面が第２支持パネル１２０の内面によって支持されることができるように、第２直径部１４４の直径ｒ２よりも小さく形成され、第１ガイドスロット１２８ｃ及び第２ガイドスロット１２８ｄが、第２直径部１４４が第２支持パネル１２０の内側に挿入された状態で、第２直径部１４４と連結された第３直径部１４６を収容できるように、第３直径部１４６の直径ｒ３よりも大きく形成される。
【００５０】
複数の第２支持パネル１２０にそれぞれ形成される第２ガイドスロット１２８ｄのいずれか一方は、他方と互いに反対方向に傾斜するように形成されるので、ディスプレイ装置１０の水平を調節する過程で、ディスプレイ装置１０が片側に偏らずに、安定的に支持されることができる。
【００５１】
カバー１３０は、第１支持パネル１１０の両側面に結合され、第１支持パネル１１０と第２支持パネル１２０とが互いに結合された状態で、いずれか一方が軸結合部１１６または第１回転軸１２４の方向に離脱して分離されることを防止する構成で、カバーボディー１３２と、カバーボディー１３２が第１支持パネル１１０の両側面に結合された時、第１支持パネル１１０の両側に形成された締結孔１１８ｂと対応する位置でカバーボディー１３２を貫通して形成される第２貫通孔１３４と、を含む。
【００５２】
一方、カバー１３０は、第２支持パネル１２０に結合されてもよい。この場合、カバー締結部１１８は、第１支持パネル１１０の代わりに、第２支持パネル１２０に同一の構造で設けられることができる。
【００５３】
複数の支持突起１４０，１５０は、第２支持パネル１２０により支持される第１支持突起１４０と、第１支持突起１４０の下部に配置され、壁面Ｗと直接接触したり、ディスプレイ装置１０が回転された状態を維持させる第２支持突起１５０と、を含んで構成される。
【００５４】
第１支持突起１４０は、ディスプレイ装置１０の後面と接する第１直径部１４２と、第２支持パネル１２０の内面によって支持される第２直径部１４４と、第１直径部１４２及び第２直径部１４４を連結し、第１直径部１４２の直径ｒ１及び第２直径部１４４の直径ｒ２よりも相対的に小さい直径ｒ３を有する第３直径部１４６と、ネジなどを用いて第１支持突起１４０をディスプレイ装置１０の後面に結合できるように、第１直径部１４２、第２直径部１４４及び第３直径部１４６を貫通する第２スクリューホール１４８と、を含む。
【００５５】
第２直径部１４４の直径ｒ２は、第２直径部１４４が第２支持パネル１２０の内側に挿入された状態で、第２直径部１４４の一面が第２支持パネル１２０の内面によって支持されることができるように、第１ガイドスロット１２８ｃ及び第２ガイドスロット１２８ｄの幅ｄ１，ｄ２よりも大きく形成され、第３直径部１４６の直径ｒ３は、第３直径部１４６が第１ガイドスロット１２８ｃ及び第２ガイドスロット１２８ｄに収容されることができるように、第１ガイドスロット１２８ｃ及び第２ガイドスロット１２８ｄの幅ｄ１，ｄ２よりも小さく形成される。
【００５６】
第２支持突起１５０は、ディスプレイ装置１０の後面と接する第１支持面１５２と、第１支持面１５２から所定の長さだけ延長して、ディスプレイ装置１０が回転しない状態で壁面Ｗと接する第２支持面１５４と、第２支持突起１５０をディスプレイ装置１０の後面に結合できるように第１支持面１５２及び第２支持面１５４を貫通する第３スクリューホール１５６と、第１支持面１５２の両側に回転可能に結合される支持フレーム１５８と、支持フレーム１５８の回転角を制限する第３回転制限部１５９と、を含んで構成される。
【００５７】
支持フレーム１５８は、ディスプレイ装置１０から壁面Ｗに向かって回転可能に結合され、ディスプレイ装置１０が回転された状態（図５参照）を維持できるようにディスプレイ装置１０を支持する。
【００５８】
第３回転制限部１５９は、第１支持面１５２の両側、すなわち、支持フレーム１５８の回転経路上に設けられ、支持フレーム１５８が略９０゜以上に回転できないように支持フレーム１５８の回転角を制限することによって、ディスプレイ装置１０が回転された状態で支持フレーム１５８が安定的にディスプレイ装置１０を支持できるようにする。
【００５９】
離脱防止部材１６０は、第２支持パネル１２０の内面に結合され、収容部１２８に収容された第１支持突起１４０が収容部１２８から離脱することを防止する構成で、第１支持突起１４０の第２直径部１４４が支持突起挿入孔１２８ａに挿入される時、第２直径部１４４により加圧されて、第１支持突起１４０が第１ガイドスロット１２８ｃ及び第２ガイドスロット１２８ｄによって移動できるように空間を形成し、第２直径部１４４による加圧が解除されると、再び元の位置に復帰して、第１支持突起１４０が収容部１２８から離脱することを防止する。
【００６０】
このような動作のために、離脱防止部材１６０は、自体弾性を有する板バネの形態に設けられることができる。
【００６１】
以下では、一実施例に係るディスプレイ装置用支持装置１００を用いてディスプレイ装置１０を壁面Ｗに支持、固定する過程、及びディスプレイ装置１０を壁面Ｗに支持させた状態で、ディスプレイ装置１０を回転させたり、位置を調節したりする過程について説明する。
【００６２】
図４Ａ及び図４Ｂは、一実施例に係るディスプレイ装置用支持装置を用いてディスプレイ装置を壁面に支持、固定させる過程を示す図で、図５は、一実施例に係るディスプレイ装置用支持装置を用いてディスプレイ装置を回転させた状態で、壁面に支持、固定させた状態を示す図で、図６は、図５の側断面図で、図７Ａ及び図７Ｂは、一実施例に係るディスプレイ装置用支持装置を用いてディスプレイ装置の水平を調節する様子を示す図である。
【００６３】
まず、ディスプレイ装置１０の後面にそれぞれ一対の第１支持突起１４０及び第２支持突起１５０を上、下に結合させ、第１支持パネル１１０と第２支持パネル１２０とが結合された状態で、第１貫通孔１２７を通じてネジなどを第１スクリューホール１１４と締結させることによって、第１支持パネル１１０を壁面Ｗに固定させる。
【００６４】
次に、図４Ａ及び図４Ｂに示されたように、第２支持パネル１２０の支持突起挿入孔１２８ａを通じて、第１支持突起１４０の第２直径部１４４が、第１支持パネル１１０と第２支持パネル１２０が形成した空間の内部に収容されるようにした後、第１ガイドスロット１２８ｃを通じてディスプレイ装置１０を下向き移動させる。
【００６５】
最後に、第１支持突起１４０が着座溝１２８ｂに着座すると、ディスプレイ装置１０が一定の位置に支持、固定される。
【００６６】
ディスプレイ装置１０が支持装置１００によって壁面Ｗに支持、固定された状態で傾いた場合、第１ガイドスロット１２８ｃ及び第２ガイドスロット１２８ｄを含む位置調節スロット１２８ｃ，１２８ｄを用いて、図７Ａ及び７Ｂに示されたように、ディスプレイ装置１０の位置を微細に調節することができる。一対の第２支持パネル１２０にそれぞれ形成される二つの第２ガイドスロット１２８ｄは、互い反対方向に傾斜するように形成されるので、ディスプレイ装置１０の位置を調節する過程で、ディスプレイ装置１０が片側に偏らずに、安定的に支持されることができる。
【００６７】
ディスプレイ装置１０の後面にケーブルを連結するなどの各種配線作業が必要な場合、図５及び図６に示されたように、第１回転軸１２４を中心にディスプレイ装置１０を回転させた後、第２支持突起１５０に設けられた支持フレーム１５８を壁面Ｗに向かって回転させて壁面Ｗに支持されるようにすることで、ディスプレイ装置１０の後面と壁面Ｗとの間の空間を確保し、確保された空間を通じて便利に配線作業を行うことができる。
【００６８】
仮に、ディスプレイ装置１０が配置される壁面Ｗにスイッチなどのような突出物があったり、壁面Ｗに突出する部分がある場合、突出物または突出する部分の厚さに該当する長さだけディスプレイ装置１０の後面と壁面Ｗとの間の距離の確保が必要であり、ディスプレイ装置１０の後面と壁面Ｗとの間の距離を確保するために間隔調節部材２１０を使用することができる。
【００６９】
図８は、間隔調節部材の分離斜視図であり、図８に示されたように、間隔調節部材２００は、第１支持パネル１１０の後面に結合される第１間隔調節部材２１０と、第２支持突起１５０の前面に結合される第２間隔調節部材２２０と、で構成されることができる。
【００７０】
第１間隔調節部材２１０は、第１支持パネル１１０が固定されるパネル固定部２１２と、パネル固定部２１２の両端から折れ曲がり、壁面Ｗに固定される壁面固定部２１４と、パネル固定部２１２及び壁面固定部２１４を覆うハウジング２１６と、を含む。パネル固定部２１２には、第１支持パネル１１０が掛けられるフック突起２１８が設けられ、壁面固定部２１４には、ネジなどを用いて第１間隔調節部材２１０を壁面Ｗに固定するための第４スクリューホール２１９が設けられる。
【００７１】
第２間隔調節部材２２０は、ディスプレイ装置１０が回転しない状態で、第２支持突起１５０が壁面Ｗに接触できるように、第１間隔調節部材２１０の厚さと同じ厚さを有する。
【００７２】
壁面Ｗに固定された突出物または壁面Ｗに突出する部分の厚さに対応して間隔調節部材２１０の厚さを調節することによって、壁面Ｗの状態に関わらず、ディスプレイ装置１０を支持、固定することができる。
【符号の説明】
【００７３】
１０    ディスプレイ装置
１００  支持装置
１１０  第１支持パネル
１２０  第２支持パネル
１３０  カバー
１４０  第１支持突起
１５０  第２支持突起
１６０  離脱防止部材
２００  間隔調節部材
２１０  第１間隔調節部材
２２０  第２間隔調節部材
【図１】
2013141197.tif 000003
【図２】
2013141197.tif 000004
【図３】
2013141197.tif 000005
【図４Ａ】
2013141197.tif 000006
【図４Ｂ】
2013141197.tif 000007
【図５】
2013141197.tif 000008
【図６】
2013141197.tif 000009
【図７Ａ】
2013141197.tif 000010
【図７Ｂ】
2013141197.tif 000011
【図８】
2013141197.tif 000012